(57)【要約】      （修正有）【課題】構造が簡単、機能が多い、取り扱い便利な多機能強光スピーカーを提供する。【解決手段】外殻のラッパ筒の反響筒の前に照明ランプがあります。外殻は、ラッパ筒、ハンドル及び後蓋から組み合わせて、そのハンドルは左殻と右殻から構成します。スイッチを開けると照明ランプの電源がすぐ繋がって、スピーカーを照明道具として取り扱い出来ます。スピーカーとして取り扱いでき、照明ランプとしても取り扱いできます。夜或いは暗い所で取り扱いできます。スピーカーの機能だけでなく、照明、充電、音光警報、ラジオ、テープ・レコーダーなどの機能もあります。使用者が各種の場所と夜などの光線の不足場所で取り扱い出来ます。【選択図】図１
0003115946.tif 000002
【実用新案登録請求の範囲】
【請求項１】
多機能強光スピーカーは外殻、拡声器、電源、マイク、増幅回路、スイッチと音量調節器を含めます。その特徴は外殻のラッパ筒の反響筒の前に照明ランプがあります。外殻はラッパ筒、ハンドル及び後蓋から組み合わせて、そのハンドルは左殻と右殻から構成します。
多機能拡声器。
【請求項２】
請求項１による、その多機能強光スピーカーの特徴は後蓋に音量調節ドアノブを設置して、その反響筒は直筒で、そのハンドルの中に電池筒を設置します。
【請求項３】
請求項２による、その多機能強光スピーカーの特徴はそのラッパ筒の前端の下の部分は二つの支柱があって、その左殻と右殻の前部向かい合っている所に側穴を持つゴムひもを設置して、二つのゴムひもの後側にねじ穴を持つ連続鋼板を放置して、ねじはラッパ筒の前側を通して連続鋼板に伸ばして、その中のねじと繋がってラッパ筒とハンドルを固定します。その後蓋の縁には充電器ソケットを設置して、その後蓋に電源指示ランプを設置して、その外殻の中にラジオの回路を設置します。
【考案の詳細な説明】
【技術分野】
【０００１】
当実用新案は手に持つスピーカーに関連して、具体的には多機能強光スピーカーに関連します。
【背景技術】
【０００２】
いまのスピーカーは外殻、拡声器、電源、ピックアップ・カートリッジ（マイク）、増幅回路、スイッチと音量調節器を含めます。外殻の前部はラッパ形のラッパ筒で、その中には音を反射する反響筒があります。外殻に設置したマイクは音のピックアップに用いて、人の口がマイクに対して呼びかける時、音波が電子信号に変えて増幅回路を通して大きくした後、拡声器に提供して音波に復して、音波が再び反響筒を通して反射した後にラッパ形の前部から出します。1992年12月30日に公開した中国の特許公告号がCN2126493Uで、「パソコン自動スピーカー」を公開しました。ピックアップ・カートリッジ、電源、パワー増幅器、拡声器と演算増幅器、言語のプロセッサー、記憶装置、録画・再生ハンドルを含めます。ピックアップ・カートリッジが演算増幅器と接続して、演算増幅器が言語のプロセッサーと接続して、言語のプロセッサーが再び記憶装置と接続して、録画・再生ハンドルが言語のプロセッサーと接続して、演算増幅器がまたパワー増幅器と接続して、パワー増幅器が拡声器と接続して、電源が別々にパワー増幅器、演算増幅器、言語のプロセッサー及び記憶装置と接続します。いまのスピーカーは機能単一、取扱不便などの問題があります
【特許文献１】中華人民共和国特許公告第CN2126493U号
【考案の開示】
【考案が解決しようとする課題】
【０００３】
当実用新案は機能単一、携帯、取扱不便などの問題を解決するために、構造が簡単、機能が多い、取扱便利な多機能強光スピーカーを提供します。
【課題を解決するための手段】
【０００４】
当実用新案が提供した技術方案は以下の通りです。多機能強光スピーカーは外殻、拡声器、電源、マイク及び音量調節器を含めて、外殻前部のラッパ筒の中の反響筒の前端には照明ランプがあります。外殻はラッパ筒、ハンドル及び後蓋から組み合わせて、そのハンドルは左殻と右殻を含めます。ねじで左殻と右殻と連続して、ラッパ筒とハンドル、ハンドルと後蓋も同じにねじで連続してスピーカー外殻の構造を簡単にならさせます。後蓋に残っている位置は音量調節ドアノブの設置に用いて、多機能強光スピーカーの反響筒は直筒で、ハンドルの中に電池筒を設置して電池を放置します。
【０００５】
ラッパ筒の前端の下の部分には二つの支柱があります。二つの支柱とハンドルと協力してスピーカーを放置します。外殻の中にはまたラジオ、テープ・レコーダー、警報器などがあります。
【０００６】
多機能強光スピーカーの左殻と右殻の前端向かい合っている所に側穴を持つゴムひもがあります。二つのゴムひもの後側にはねじを持つ連続鋼板を放置します。ねじはラッパ筒を通して前に伸ばして連続鋼板のねじと連続して、ラッパ筒とハンドルを固定します。
【考案の効果】
【０００７】
当実用新案が提供する技術方案はスイッチを開けると照明ランプの電源がすぐ繋がって、スピーカーを照明道具として取扱できます。スピーカーとして取扱でき、照明ランプとしても取扱できます。夜或いは暗い所で取扱できます。スピーカーの機能だけではなく、照明、充電、音光警報、ラジオ、テープ・レコーダーなどの機能もあります。使用者が各種の場所と夜などの光線の不足場所で取扱できます。
【考案を実施するための最良の形態】
【０００８】
図１は当実用新案スピーカーのある実行例の立体分解図です。図１、図２、図３を結合して見ると、スピーカーは外殻、拡声器３５、基板、電源、マイク、スイッチ３７と音量調節器から組み合わせます。その外殻はラッパ筒２３、左殻３１、右殻３２と後蓋４０から組み合わせて、左殻３１と右殻３２をハンドルに組み合わせて、左殻３１と右殻３２との間にねじで連続します。ハンドルの前端は拡音のスイッチと照明のスイッチ３７があります。ハンドルの前端はラッパ筒２３で、後端は後蓋４０です。左殻３１と右殻３２の後に釘があって、後蓋４０の前端の縁に穴があって、左殻３１と右殻３２としっかり施錠する時、左殻３１と右殻３２の上の釘を利用して後蓋４０の穴を横切って後蓋を着付く挟んで固定します。後蓋の中には電源の基板４４があって、呼子機能ボタン４５は中から外へ後蓋４０に固定して、そして一部分を伸ばします。充電器コンセントは電源の基板４４に取り付けて、後蓋４０の側面で充電できます。音量抵抗器は電源の基板４４の後に固定して、音量調節ドアノブ４１が抵抗器に被せて、後蓋４０の下から伸ばした音量調節ドアノブ４１で音量を調節できます。電源指示ランプは電源の基板４４の下に固定して、後蓋４０から一部分を伸ばして、全ての機能（スピーカー、照明、ラジオ、録音、警報、呼子）を使用する時、電圧が一般の時、電源指示ランプの色は緑で、電圧が低い時、電源指示ランプの色は赤いです。後蓋４０の中の上方の盛り上がる部分はミニマイクの台座４３で、ミニマイクの台座４３の中にマイクを固定して、呼びかける或いは録音する時に用います。左殻３２と右殻３１をハンドルに組み合わせて、中には電池筒３３があって、電池を取り付けます。増幅回路の基板４６と右殻３１との間に警報ボタン４７があって、警報ボタン４７は中から取り付けて、一部分を右殻３１から伸ばして、増幅回路の基板４６はねじで右殻３１の上の部分に固定します。電池筒３３の一端はねじで右殻３２に固定して増幅回路の基板４６をしっかり抑えて、別の一端は左殻３１がしっかり施錠する時に抑えます。ラジオとテープ・レコーダーの機能ボタン３９は左殻３２とラジオ、録音回路の基板３６の間に取り付けて、全ての機能ボタンは中に固定して左殻３２の外へ伸ばします。ラジオ、録音回路の基板３６はねじで左殻３２に固定します。ラジオの機能スイッチはラジオ電源スイッチとラジオ放送局を選ぶスイッチと戻るスイッチから組み合わせて、録音機能スイッチは録音、再生スイッチから組み合わせます。ラジオ用アンテナ４８もねじで左殻３２の中に固定して、伸ばした部分は左殻３１の上に放置します。左殻３１と右殻３２前端の向かい合っている所に側穴を持つゴムひも３１１と３２１を放置します。二つのゴムひも３１１、３２１の後側にねじ穴を持つ連続鋼板３４を放置して、左、右殻３１、３２はねじで固定する時連続鋼板３４を左右殻の前端に固定します。ねじはラッパ筒２３の前側を通して、連続鋼板３４に伸ばして、その中のねじと連続して、ラッパ筒２３とハンドルを固定します。ラッパ筒２３とハンドルとの間には密封ゴムがあって、ラッパ筒２３とハンドルがしっかり挟みます。左殻３１と右殻３２をハンドルに組み合わせて、その中に電池筒３３を放置して、ハンドルの下に電池筒の蓋３８があります。電池蓋３８が突然に開けることを防ぐために電池筒の蓋３８の開口の所に電池蓋の錠５０を放置します。電池筒の蓋３８の前に吊縄柱があって、ハンドルの下、吊縄柱に吊縄を取り付けます。ハンドルの上の後側に後掛輪３０を放置して、後掛輪３０が右殻３２のてっぺんのねじ柱を横切って、左殻３１と右殻３２でしっかり挟んで、後掛輪３０の一部分は外殻のてっぺんへ伸ばして、伸ばした部分はサスペンダーと吊縄を固定できます。ラッパ筒２３の前端下の部分は二つの支柱２３２があって、ハンドルと一緒にスピーカーを支えます。その縁には前掛輪４９があって、前掛輪４９と後掛輪３０にはサスペンダーとを取り付けて、携帯便利です。ラッパ筒２３の中にねじで中筒２１を固定して、内筒２２と中筒２１との間に反響筒を構成します。内筒２３はラッパ２３の後端の中に横切って、拡声器３５でラッパ筒にしっかり押さえます。拡声器３５は内筒２２を真正面に向かって、ねじで圧板３４を横切ってラッパ２３の後側に固定します。拡声器３５が出した音波は内筒２２を通して中筒２１に順次伝えて、ラッパ筒２３の底部に反射して最後ラッパ筒２３の底部を通して外へ反射します。ランプ台座１６はねじで中筒２１の中の前端に固定します。中筒２１の前端はねじ山の蓋１２でランプカップ１１に固定して、ランプカップ１１とねじ山の蓋１２との間に透明な保護板があります。ランプカップ１２は電珠をランプ台座１６にしっかり押さえます。
【図面の簡単な説明】
【０００９】
【図１】本考案の多機能拡声器の断面図である。
【図２】本考案の多機能拡声器の分解図である。
【図３】本考案の多機能拡声器の背面図である。
【符号の説明】
【００１０】
１１  ねじ山の蓋
１２  ランプカップ
１６  ランプソケット
２１  中筒
２２  内筒
２３  ラッパ筒
２３１  掛輪
２３２  支柱、前掛輪
３０    後掛輪
３１    左殻
３１１  ゴムひも
３２    右殻
３３    電池筒
３４    連続鋼板
３５    拡声器
３６    基板
３７    スイッチ
３８    電池筒の蓋
３９    ボタン
４０    後蓋
４１    ドアノブ
４３    マイクの台座
４４    電源基板
４５    呼子の機能ボタン
４６    増幅回路の基板
４７    警報ボタン
４８    アンテナ
４９    前掛輪
５０    電池蓋の錠
【図１】
0003115946.tif 000003
【図２】
0003115946.tif 000004
【図３】
0003115946.tif 000005
【手続補正書】
【提出日】平成17年8月29日(2005.8.29)
【手続補正１】
【補正対象書類名】実用新案登録請求の範囲
【補正対象項目名】全文
【補正方法】変更
【補正の内容】
【実用新案登録請求の範囲】
【請求項１】
外殻、拡声器、電源、マイク、増幅回路、スイッチ及び音量調節器を含む多機能強光スピーカーにおいて、
前記外殻が、ラッパ筒、ハンドル及び後蓋から組み合わされ、
前記外殻のラッパ筒の反響筒の前に、照明ランプが設けられ、
前記ハンドルが、左殻と右殻から構成されることを特徴とする、
多機能強光スピーカー。
【請求項２】
前記後蓋に音量調節ドアノブが設置され、
前記反射筒が直筒であり、
前記ハンドル内に電池筒が設置されることを特徴とする、
請求項１に記載の多機能強光スピーカー。
【請求項３】
前記ラッパ筒前端の下部に二つの支柱が設けられ、
前記左殻及び右殻が、前部に側穴を有するゴムひもを備え、
前記二つのゴムひもの後側に、ねじ穴を有する連続鋼板が設置され、
前記ラッパ筒、連続鋼板及びハンドルが、ねじによって固定され、
前記後蓋の縁に、充電器ソケットが設置され、
前記後蓋に、電源指示ランプが設置され、
前記外殻の中に、ラジオの回路が設置されることを特徴とする、
請求項２に記載の多機能強光スピーカー。